(57)【特許請求の範囲】
【請求項１】
エンジンの内部通路と外部通路とを閉ループとして冷却液を循環可能にしたエンジンにおいて、
冷却液を流動させるウォータポンプと、このウォータポンプの作動、停止を制御する制御装置と、前記外部通路に設けられかつ冷却液が暖機完了温度未満になると閉側となる一方で前記暖機完了温度以上になると全開になる流量制御弁と、前記外部通路において前記流量制御弁よりも冷却液流通方向の上流側に設けられかつ前記内部通路から排出される冷却液を受け入れてから押し出すように作用する可変容積タンクとを備え、
前記制御装置は、前記冷間始動に伴い前記ウォータポンプを停止して冷却液の循環を停止させる昇温促進手段と、
前記ウォータポンプの停止状態において前記内部通路の冷却液温度が、前記暖機完了温度よりも高く設定される上限温度以上か否かを判定する第１判定手段と、
この第１判定手段で肯定判定した場合に前記ウォータポンプを間欠的に作動させる第１温調手段とを含む、ことを特徴とするエンジン。
【請求項２】
請求項１に記載のエンジンにおいて、
前記制御装置は、前記ウォータポンプの間欠作動中に前記外部通路において前記内部通路への冷却液の導入口寄りの冷却液温度が暖機完了温度以上になったか否かを判定する第２判定手段と、
この第２判定手段により肯定判定した場合に前記ウォータポンプを連続的に作動させる第２温調手段とをさらに含む、ことを特徴とするエンジン。
【請求項３】
請求項１または２に記載のエンジンにおいて、
前記ウォータポンプは、電動機により作動される電動式ウォーターポンプとされる、ことを特徴とするエンジン。
【発明の詳細な説明】
【技術分野】
【０００１】
本発明は、エンジンの内部通路と外部通路とを閉ループとして冷却液を循環可能にしたエンジンに関する。
【背景技術】
【０００２】
例えば特許文献１の段落００２４には、電動式のウォーターポンプを備える内燃機関において、ヘッド側ウォータジャケットの排出口から排出された冷却水の温度を温度センサで検出し、この検出温度が所定温度以下の場合に前記ウォーターポンプを停止させることによって、エンジンの暖機を促進させるようにすることが記載されている。
【０００３】
また、特許文献１の段落００２５，００２６には、前記エンジン暖機時にウォータポンプを停止することに伴いシリンダヘッドなどで冷却水が局所的に高温になって沸騰する問題に対し、次のようにしている。つまり、ウォータポンプの停止制御を開始する前に、ウォータポンプを駆動することにより冷却水通路内の冷却液を前記温度センサに供給するようにし、この温度センサで検出される冷却水温度に基づいて冷却水が沸騰する可能性を判定する。そして、沸騰する可能性が低いと判定した場合に、前記ウォーターポンプの停止制御の開始を許可することが記載されている。
【０００４】
この他、例えば特許文献２の段落００１４−００１７には、シリンダヘッド内の冷却水の温度が所定温度よりも低い場合に、電動式のウォータポンプを周期的に正回転、停止、逆回転させるという一連の制御を行うことにより、シリンダブロックとシリンダヘッドとに設けられる冷却水路という限られた範囲内で冷却水を攪拌させて、前記冷却水路のヒートスポットを回避しようとすることが記載されている。
【先行技術文献】
【特許文献】
【０００５】
【特許文献１】特開２００８−１６９７５０号公報
【特許文献２】特開２００５−０１６４３５号公報
【発明の概要】
【発明が解決しようとする課題】
【０００６】
上記特許文献２の場合、ウォータポンプを正回転、停止、逆回転という一連の制御を必要に応じて行うのであるが、ウォータポンプを正回転させることにより冷却水を循環方向に流動させた後、ウォータポンプを停止させてから逆回転させたとしても前記冷却水の慣性の影響で冷却液が循環方向の流れに対して直ぐには逆流するようにならない。仮に、所定時間遅延してから逆回転させたとしても冷却水の流れが弱まるか、あるいは停止する程度と考えられる。そのため、前記冷却水路内で冷却水を攪拌させる効果が薄く、また、攪拌させるまでには時間がかかり過ぎると考えられる。ここに改良の余地がある。
【０００７】
このような事情に鑑み、本発明は、エンジンの内部通路と外部通路とを閉ループとして冷却液を循環可能にしたエンジンにおいて、暖機を均一に温度管理しながら速やかに完了可能とすることを目的としている。
【課題を解決するための手段】
【０００８】
本発明は、エンジンの内部通路と外部通路とを閉ループとして冷却液を循環可能にしたエンジンにおいて、冷却液を流動させるウォータポンプと、このウォータポンプの作動、停止を制御する制御装置と、前記外部通路に設けられかつ冷却液が暖機完了温度未満になると閉側となる一方で前記暖機完了温度以上になると全開になる流量制御弁と、前記外部通路において前記流量制御弁よりも冷却液流通方向の上流側に設けられかつ前記内部通路から排出される冷却液を受け入れてから押し出すように作用する可変容積タンクとを備え、前記制御装置は、前記冷間始動に伴い前記ウォータポンプを停止して冷却液の循環を停止させる昇温促進手段と、前記ウォータポンプの停止状態において前記内部通路の冷却液温度が、前記暖機完了温度よりも高く設定される上限温度以上か否かを判定する第１判定手段と、この第１判定手段で肯定判定した場合に前記ウォータポンプを間欠的に作動させる第１温調手段とを含む、ことを特徴としている。
【０００９】
一般に、エンジンを冷間始動するとエンジンの燃焼室から発生する熱でもってシリンダヘッドのほうがシリンダブロックに比べて昇温しやすくなる。なお、冷間始動時には、サーモスタットが閉じていて冷却液を循環させることができない状態になっている。その状態でエンジンの内部通路の冷却液を循環させていない場合には内部通路において燃焼室付近で高温となるので、内部通路の局所の冷却液が過剰昇温して沸騰しやすくなる。
【００１０】
これに対し、本発明の前記構成では、前記したように暖機中にエンジンの内部通路で冷却水が過剰昇温するような場合に、ウォータポンプを間欠的あるいは周期的に作動させるようにしている。
【００１１】
そのため、ウォータポンプを作動させている期間はその吐出圧力で前記内部通路の冷却液が排出口から外部通路に押し出されることになって、この冷却液が可変容積タンク内に押し込まれることになる。そして、ウォータポンプを停止させると、前記可変容積タンク内に押し込まれた冷却液が今度は押し出されることになって前記排出口から内部通路へと逆流されることになる。
【００１２】
このように、ウォータポンプを間欠作動させることによって、エンジンの内部通路内で冷却液が出し入れされるので、冷却液が揺らされるように攪拌されることになって、内部通路内の冷却液の温度分布が均一化されるようになる。そのために、内部通路の局所で冷却液が過剰昇温して沸騰することが避けられるようになる。
【００１３】
好ましくは、前記制御装置は、前記ウォータポンプの間欠作動中に前記外部通路において前記内部通路への冷却液の導入口寄りの冷却液温度が暖機完了温度以上になったか否かを判定する第２判定手段と、この第２判定手段により肯定判定した場合に前記ウォータポンプを連続的に作動させる第２温調手段とをさらに含む、構成とすることができる。
【００１４】
ここでは、暖機が完了したときのウォータポンプの作動形態を特定している。この場合、流量制御弁の上流側の冷却液が暖機完了温度以上になると流量制御弁が全開になるとともに、第２温調手段がウォータポンプを連続的に作動させるので、エンジンの内部通路内の冷却液が外部通路へと排出されることになり、さらにこの外部通路から内部通路へと戻されることになる。つまり、エンジンの内部通路と外部通路とを閉ループとして冷却液が循環されることになるので、この冷却液の循環過程においてシリンダヘッドおよびシリンダブロックの熱を冷却液が回収して外部通路から大気に発散されることになる。これにより、循環させられている冷却液の温度が暖機完了温度に保たれるようになる。
【００１５】
好ましくは、前記ウォータポンプは、電動機により作動される電動式ウォーターポンプとされる。ここではウォータポンプの種類を特定している。この特定によればウォータポンプの動作を簡易に制御することが明らかになる。
【発明の効果】
【００１６】
本発明は、エンジンの内部通路と外部通路とを閉ループとして冷却液を循環可能にしたエンジンにおいて、暖機を均一に温度管理しながら速やかに完了することが可能になる。
【図面の簡単な説明】
【００１７】
【図１】本発明に係るエンジンの一実施形態で、その冷却系の構成を模式的に示す図である。
【図２】図１の可変容積タンクの概略構成を示す断面図であり、ウォータポンプの停止時の状態を示している。
【図３】図１の可変容積タンクの概略構成を示す断面図であり、ウォータポンプの作動時の状態を示している。
【図４】図１の制御装置によるエンジンの温度調整制御に関するフローチャートである。
【図５】本発明に係るエンジンの他実施形態で、その冷却系の構成を模式的に示す図である。
【発明を実施するための形態】
【００１８】
以下、本発明を実施するための最良の実施形態について添付図面を参照して詳細に説明する。
【００１９】
図１から図４に、本発明の一実施形態を示している。この実施形態では直列多気筒型のエンジンを例に挙げて説明する。図１に示すエンジン１は、シリンダブロック１１とシリンダヘッド１２とを少なくとも備えている。
【００２０】
シリンダブロック１１内にはウォータジャケット１３が設けられている。また、シリンダヘッド１２内にはウォータジャケット１４が設けられている。これらブロック側ウォータジャケット１３およびヘッド側ウォータジャケット１４が冷却液の内部通路である。冷却液は、例えばエチレングリコールの水溶液などの不凍液とされている。
【００２１】
ブロック側ウォータージャケット１３は、シリンダブロック１のデッキ面つまりシリンダヘッド（図示省略）が組み付けられる面に向けて開放されている。このようなウォータージャケット１３を備えるシリンダブロック１は、いわゆるオープンデッキタイプと呼ばれている。ヘッド側ウォータジャケット１４は、下側つまりシリンダブロック１側へ向けて開口されている。つまり、シリンダブロック側ウォータジャケット１３とシリンダヘッド側ウォータジャケット１４との間で冷却液が流通可能になっている。
【００２２】
シリンダブロック１３において気筒配列方向の一端面にはブロック側ウォータジャケット１３に冷却液を導入させるための導入口１５が設けられている。また、シリンダヘッド１２において気筒配列方向の他端面にはヘッド側ウォータジャケット１４から冷却液を排出させるための排出口１６が設けられている。
【００２３】
このシリンダブロック１１の導入口１５とシリンダヘッド１２の排出口１６とには、外部通路２が連通連結されている。この外部通路２には、ウォータポンプ４、ラジエータ５ならびにヒータコア６などが設けられている。
【００２４】
ウォータポンプ４は、外部通路２においてシリンダブロック１１の導入口１５寄りの位置に設けられている。
【００２５】
ラジエータ５は、冷却液の熱を大気に発散させるための熱交換器であり、外部通路２においてウォータポンプ４よりも冷却液流通方向の上流側に設けられている。
【００２６】
ヒータコア６は、車両室内を暖房するための熱交換器であり、外部通路２においてラジエータ５よりも冷却液流通方向の上流側に設けられている。
【００２７】
そして、外部通路２においてヒータコア６よりも冷却液流通方向の上流側でシリンダヘッド１２の排出口１６寄りの位置には、流量制御弁としてサーモスタット８が設けられている。
【００２８】
このサーモスタット８は、公知の構成であるので詳細に図示していないが、サーモスタット設置場所の冷却液温度が暖機完了温度（例えば約８８℃）Ｔｈ０未満になると、サーモワックスが凝固収縮してワックス圧が低くなるので、弁体が自動的に閉側になって外部通路２からウォータポンプ４への冷却液流通を少なくするが、サーモスタット設置場所の冷却液温度が暖機完了温度Ｔｈ０以上になると、サーモワックスが溶融膨張されてワックス圧が高くなるので、弁体が自動的に全開になって外部通路２からウォータポンプ４への冷却液流通を許容する。
【００２９】
詳しくは、このサーモスタット８は、暖機完了温度Ｔｈ０より低い所定温度（例えば８２℃）未満になると全閉状態になり、その所定温度から開き始め、暖機完了温度になると全開状態になるのである。
【００３０】
さらに、外部通路２においてエンジン１の冷却液排出口１６とサーモスタット８との間の領域には、可変容積タンク９が接続されている。この可変容積タンク９は、サーモスタット８が閉じているかあるいは閉側になっている状態でウォータポンプ４が作動することによって内部通路（ブロック側ウォータジャケット１３およびヘッド側ウォータジャケット１４）から排出される冷却液を受け入れるとともに、サーモスタット８が閉じているかあるいは閉側になっている状態でウォータポンプ４が停止したときに前記受け入れた冷却液を押し出すように作用する。
【００３１】
具体的に、可変容積タンク９は、シリンダ９１、ピストン９２、リバーススプリング９３などを備えている。シリンダ９１は、内部通路（ブロック側ウォータジャケット１３およびヘッド側ウォータジャケット１４）における局所の冷却液温度ＴｃＢが過上昇したときに当該内部通路内で冷却液を揺らすための力を発生するような量の冷却液を収容可能とする容積に設定されている。ピストン９２は、シリンダ９１内に往復スライド可能に収納されてい。リバーススプリング９３は、ピストン９２をシリンダ９１の開口を閉塞させる向きに付勢する。
【００３２】
このようなエンジン１の温度は、制御装置２０により制御される。この制御装置２０は、エレクトロニックコントロールユニット（ＥＣＵ）であり、詳細に図示していないが、ＣＰＵ（中央処理装置）、ＲＯＭ（プログラムメモリ）、ＲＡＭ（データメモリ）、ならびにバックアップＲＡＭ（不揮発性メモリ）などを備える公知の構成とされる。
【００３３】
ＲＯＭは、各種制御プログラムや、それら各種制御プログラムを実行する際に参照されるマップなどが記憶されている。ＣＰＵは、ＲＯＭに記憶された各種制御プログラムやマップに基づいて演算処理を実行する。また、ＲＡＭは、ＣＰＵでの演算結果や各センサから入力されたデータ等を一時的に記憶するメモリであり、バックアップＲＡＭは、エンジン１の停止時にその保存すべきデータなどを記憶する不揮発性のメモリである。
【００３４】
この実施形態では、シリンダブロック２の導入口１５付近に第１温度センサ２１が設けられており、また、ヘッド側ウォータジャケット１４内に第２温度センサ２２が設けられている。
【００３５】
この第１、第２温度センサ２１，２２は冷却水温度に対応する信号を出力して制御装置２０に入力する。これにより、制御装置２０は、第１温度センサ２１の検出出力の入力に基づいてエンジン広範囲の冷却液温度ＴｃＢを認識し、第２温度センサ２２の検出出力の入力に基づいてヘッド側ウォータジャケット１４内の局所的な冷却液温度ＴｃＨを認識する。
【００３６】
この制御装置２０は、例えばエンジン１の運転に関する各種制御を実行する他、下記するようなエンジン１の温度調整制御を実行する。
【００３７】
次に、図４に示すフローチャートを参照して、制御装置２０によるエンジン１の温度調整制御を説明する。
【００３８】
エンジン１が始動されると、制御装置２０が図４に示すフローチャートの処理を実行開始する。まず、ステップＳ１において外部通路２においてエンジン１の広範囲（エンジン１の導入口１５寄り）の冷却液温度ＴｃＢが暖機完了温度Ｔｈ０以上になったか否かを判定する。ここでは、第１温度センサ２１からの出力信号に基づいてエンジン１の導入口１５寄りの冷却液温度ＴｃＢをエンジン１の広範囲の冷却液温度として検出し、この検出値ＴｃＢと暖機完了温度Ｔｈ０とを比較することにより判定することができる。
【００３９】
ここで、ＴｃＢ＜Ｔｈ０の場合には前記ステップＳ１で否定判定し、続くステップＳ２でウォータポンプ４を停止する。これにより、ヘッド側ウォータジャケット１４およびブロック側ウォータジャケット１３の冷却液温度が徐々に上昇するようになる。
【００４０】
しかし、ＴｃＢ≧Ｔｈ０の場合には前記ステップＳ１で肯定判定し、前記ステップＳ２を飛び越えてステップＳ３に移行する。
【００４１】
このステップＳ３では、エンジン１の局所（ヘッド側ウォータジャケット１４）の冷却水温度ＴｃＨが、上限温度Ｔｈ１以上であるか否かを判定する。ここでは、第２温度センサ２２からの出力信号に基づいてヘッド側ウォータジャケット１４内の冷却水温度ＴｃＨをエンジン１の局所的な冷却液温度として検出し、この検出値ＴｃＨと上限温度Ｔｈ１とを比較することにより判定することができる。なお、上限温度Ｔｈ１は、暖機完了温度Ｔｈ０よりも高く設定されるが、具体的に例えばシリンダヘッド１２の安全保障温度（約９５℃）に設定される。
【００４２】
ここで、ＴｃＨ＜Ｔｈ１の場合には前記ステップＳ３で否定判定し、前記ステップＳ３に戻る。つまりウォータポンプ４の停止を継続することによりエンジン１の局所（ヘッド側ウォータジャケット１４）の冷却液温度ＴｃＨを上昇させるようにする。このようにして、ＴｃＨ≧Ｔｈ１になると前記ステップＳ３で肯定判定し、続くステップＳ４に移行する。
【００４３】
このステップＳ４ではウォータポンプ４を間欠的に作動させる。ここでは、ウォータポンプ４の作動時期と停止時期とのインターバル、つまり周期を適宜に設定することが可能であり、また、ウォータポンプ４の作動時間と停止時間とを適宜に設定することが可能である。なお、前記作動時間と停止時間とを同じに設定してもよいし、また、長短異ならせるように設定してもよい。ちなみに、ウォータポンプ４の作動時期と停止時期とのインターバル、つまり周期を長く設定すると、冷却液の揺らし作用が大きくなると言える。この他、ウォータポンプ４の作動時の吐出能力を可及的に高く設定することも可能であり、その場合にも冷却液の揺らし作用が大きくなると言える。
【００４４】
これにより、ウォータポンプ４が作動している期間ではその吐出圧力で内部通路（ヘッド側ウォータジャケット１４およびブロック側ウォータジャケット１３）の冷却液が排出口１６から外部通路２に押し出されることになって、この冷却液が可変容積タンク９内に押し込まれるようになる。そして、ウォータポンプ４を停止させると可変容積タンク９内に押し込まれた冷却液が今度は押し出されることになって排出口１６から内部通路（ヘッド側ウォータジャケット１４およびブロック側ウォータジャケット１３）へと逆流されるようになる。
【００４５】
このように、ウォータポンプ４を間欠的に作動させると、エンジン１の内部通路（ヘッド側ウォータジャケット１４およびブロック側ウォータジャケット１３）内で冷却液が出し入れされるので、冷却液が揺らされるように攪拌されることになって、内部通路（ヘッド側ウォータジャケット１４およびブロック側ウォータジャケット１３）内の冷却液の温度分布が均一化されるようになる。そのために、内部通路（ヘッド側ウォータジャケット１４およびブロック側ウォータジャケット１３）の局所で冷却液が過剰昇温して沸騰することが避けられるようになる。
【００４６】
この後、ステップＳ５において外部通路２においてエンジン１の広範囲（エンジン１の導入口１５寄り）の冷却液温度ＴｃＢが暖機完了温度Ｔｈ０以上になったか否かを判定する。ここでは、前記ステップＳ１と同様に第１温度センサ２１からの出力信号に基づいてエンジン１の導入口１５寄りの冷却液温度ＴｃＢをエンジン１の広範囲の冷却液温度として検出し、この検出値ＴｃＢと暖機完了温度Ｔｈ０とを比較することにより判定することができる。
【００４７】
ここで、ＴｃＢ＜Ｔｈ０の場合には前記ステップＳ５で否定判定し、前記ステップＳ５に戻る。つまり前記ウォータポンプ４の間欠作動を継続することにより、エンジン１の広範囲（エンジン１の導入口１５寄り）の冷却液温度ＴｃＢを上昇させるようにする。このようにして、ＴｃＢ≧Ｔｈ０になると前記ステップＳ５で肯定判定し、続くステップＳ６に移行する。
【００４８】
このステップＳ６ではウォータポンプ４を連続的に作動させる。このときのウォータポンプ４は、デューティ制御とされる。このとき、サーモスタット８の上流側の冷却液も暖機完了温度Ｔｈ０以上になっているので、サーモスタット８が開弁している。そのため、エンジン１の内部通路（ヘッド側ウォータジャケット１４およびブロック側ウォータジャケット１３）と外部通路２とが閉ループになって冷却液が循環されるようになる。
【００４９】
この冷却液の循環過程では、シリンダヘッド１２およびシリンダブロック１１の熱を冷却液が回収してラジエータ５により大気に発散されることになるので、循環させられている冷却液の温度が暖機完了温度Ｔｈ０に保たれるようになる。
【００５０】
この後、続くステップＳ７において、外部通路２においてエンジン１の広範囲（エンジン１の導入口１５寄り）の冷却液温度ＴｃＢが暖機完了温度Ｔｈ０未満になったか否かを判定する。ここでは、前記ステップＳ１，Ｓ５と同様に第１温度センサ２１からの出力信号に基づいてエンジン１の導入口１５寄りの冷却液温度ＴｃＢをエンジン１の広範囲の冷却液温度として検出し、この検出値ＴｃＢと暖機完了温度Ｔｈ０とを比較することにより判定することができる。
【００５１】
ここで、ＴｃＢ≧Ｔｈ０の場合には前記ステップＳ７で否定判定し、前記ステップＳ７に戻る。つまりウォータポンプ４の連続作動を継続することにより、エンジン１の広範囲（エンジン１の導入口１５寄り）の冷却液温度ＴｃＢを低下させるようにする。このようにして、ＴｃＢ＜Ｔｈ０になると前記ステップＳ７で肯定判定して、続くステップＳ８に移行する。
【００５２】
このステップＳ８では、外部通路２においてエンジン１の広範囲（エンジン１の導入口１５寄り）の冷却液温度ＴｃＢが、下限温度Ｔｈ２未満になったか否かを判定する。ここでは、前記ステップＳ１，Ｓ５，Ｓ７と同様に第１温度センサ２１からの出力信号に基づいてエンジン１の導入口１５寄りの冷却液温度ＴｃＢをエンジン１の広範囲の冷却液温度として検出し、この検出値ＴｃＢと下限温度Ｔｈ２とを比較することにより判定することができる。なお、下限温度Ｔｈ２は、暖機完了温度Ｔｈ０よりも低く設定されるが、具体的に例えばエンジン１が安定的に動作するのに必要な基準温度（約８０℃）に設定される。
【００５３】
ここで、ＴｃＢ≧Ｔｈ２の場合には前記ステップＳ８で否定判定し、前記ステップＳ７に戻る。つまりウォータポンプ４の連続作動を継続することにより、エンジン１の広範囲（エンジン１の導入口１５寄り）の冷却液温度ＴｃＢを低下させるようにする。このようにして、ＴｃＢ＜Ｔｈ２になると前記ステップＳ８で肯定判定して前記ステップＳ２に戻る。つまりウォータポンプ４の停止制御に移行することにより、エンジン１の広範囲（エンジン１の導入口１５寄り）の冷却液温度ＴｃＢを上昇させるようにする。
【００５４】
以降、上記ステップＳ２〜Ｓ８を繰り返すことにより、エンジン１の温度が一定に調整される。
【００５５】
以上説明したように本発明を適用した実施形態では、エンジン１の内部通路（ブロック側ウォータジャケット１３、ヘッド側ウォータジャケット１４）と外部通路（外部通路２）とを閉ループとして冷却液を循環可能にしたエンジン１において、暖機中にエンジン１の内部通路（１３，１４）の局所で冷却水が過剰昇温して沸騰することを回避して、暖機を均一に温度管理しながら速やかに完了することが可能になる
特に、ウォータポンプ４を周期的に作動、停止させるだけであって、従来例（特許文献２）のように周期的に正回転、停止、逆回転させるような場合に比べて、制御が簡易となり、制御プログラムの設計が容易となるなど、設備コストの上昇を抑制することが可能になる。
【００５６】
このようなことから、エンジン冷却系の設備を比較的安価に構築しながら、安定した暖気を速やかに完了できるようになってエンジン１の燃費改善に貢献できるようになる。
【００５７】
以上説明した実施形態に記載している構成要素と請求項に記載している構成要素との対応関係を説明する。請求項に記載の昇温促進手段は図４に示すステップＳ１，Ｓ２に相当し、請求項に記載の第１判定手段は図４に示すステップＳ３に相当し、請求項に記載の第１温調手段は図４に示すステップＳ４に相当し、請求項に記載の第２判定手段は図４に示すステップＳ５に相当し、請求項に記載の第２温調手段は図４に示すステップＳ６に相当している。
【００５８】
なお、本発明は、上記実施形態のみに限定されるものではなく、特許請求の範囲内および当該範囲と均等の範囲内で適宜に変更することが可能である。
【００５９】
（１）上記実施形態では、ヒータコア６をサーモスタット８よりも冷却液流通方向の下流側に配置した例を挙げているが、本発明はこれに限定されるものではない。
【００６０】
例えば図５に示すように、ヒータコア６をサーモスタット８および可変容積タンク９よりも冷却液流通方向の上流側に配置することが可能である。このような形態の場合には、上記実施形態の作用、効果に加えて、暖機中においてもヒータコア６を利用して車両暖房を行うことが可能になる。
【００６１】
（２）上記実施形態では、ウォータポンプ４を電動式ウォータポンプにした例を挙げているが、本発明はこれに限定されるものではない。
【００６２】
例えばウォータポンプ４は、公知のメカニカルウォータポンプと呼ばれるタイプとすることも可能である。その場合、図示していないが、例えばウォータポンププーリとクランクシャフトプーリとにベルトを巻き掛けるようにし、ウォータポンププーリに電磁クラッチなどを装備した構成とし、この電磁クラッチを制御装置２０で継合、切断させることによりウォータポンプ４を作動、停止させるように制御する構成にする。このような場合も上記実施形態と同様の作用、効果が得られる。
【００６３】
（３）上記実施形態では、可変容積タンク９をシリンダタイプにした例を挙げているが、本発明はこれに限定されるものではない。例えば可変容積タンク９は、図示していないが、ゴムチューブなどのような可撓性材料で収縮可能なものにすることが可能である。このような場合も上記実施形態と同様の作用、効果が得られる。
【産業上の利用可能性】
【００６４】
本発明は、エンジンの内部通路と外部通路とを閉ループとして冷却液を循環可能にしたエンジンに好適に利用することが可能である。
【符号の説明】
【００６５】
１  エンジン
１１  シリンダブロック
１２  シリンダヘッド
１３  ブロック側ウォータジャケット（内部通路）
１４  ヘッド側ウォータジャケット（内部通路）
１５  ブロック側ウォータジャケットの導入口
１６  ヘッド側ウォータジャケットの排出口
２  外部通路
４  ウォータポンプ
５  ラジエータ
８  サーモスタット
９  可変容積タンク
２０  制御装置
２１  第１温度センサ
２２  第２温度センサ
【図１】
0005708060.tif 000002
【図２】
0005708060.tif 000003
【図３】
0005708060.tif 000004
【図４】
0005708060.tif 000005
【図５】
0005708060.tif 000006